(57)【特許請求の範囲】
【請求項１】
販売される商品に、貼付することのできる特定のシールを添付し、この商品を自動販売機を用いて販売するとともに、予め定められた枚数の上記シールが貼付された台紙が自動販売機の台紙識別装置にその台紙挿入口から挿入されたとき、自動販売機に装填されている商品のうちの任意の又は特定の商品を無料又は割引価格にて販売することを特徴とする自動販売機を用いた販売方法。
【請求項２】
請求項１に記載された自動販売機を用いた販売方法において、上記販売される商品に添付されるシールは、貼付することにより、商品に添付されたものであり、商品から剥離した後再び貼付可能なものであることを特徴とする自動販売機を用いた販売方法。
【請求項３】
請求項１に記載された自動販売機を用いた販売方法において、上記販売される商品に添付されるシールは、商品の包装の内部に入れられることにより、商品に添付されていることを特徴とする自動販売機を用いた販売方法。
【請求項４】
請求項１に記載された自動販売機を用いた販売方法において、上記販売される商品に添付されるシールは、商品の一部をなす形で、商品に添付されていることを特徴とする自動販売機を用いた販売方法。
【請求項５】
請求項１から請求項４までのいずれかに記載された自動販売機を用いた販売方法において、上記自動販売機は、紙幣識別装置を備えたものであり、上記台紙識別装置の台紙挿入口は、上記紙幣識別装置の紙幣挿入口と同一の挿入口であることを特徴とする自動販売機を用いた販売方法。
【請求項６】
請求項１から請求項４までのいずれかに記載された自動販売機を用いた販売方法において、上記自動販売機は、紙幣識別装置を備えたものであり、上記台紙識別装置は、上記紙幣識別装置と兼用される一の装置であることを特徴とする自動販売機を用いた販売方法。
【請求項７】
販売される商品に添付されていた特定のシールが予め定められた枚数貼付された台紙が挿入される台紙識別装置と、上記台紙識別装置が上記台紙を受け入れたとき、自動販売機に装填されている商品のうちの任意の又は特定の商品を投下する商品投下装置とを有することを特徴とする自動販売機。
【請求項８】
請求項７に記載された自動販売機において、上記自動販売機は、紙幣識別装置を備えたものであり、上記台紙識別装置の台紙挿入口は、上記紙幣識別装置の紙幣挿入口と同一の挿入口であることを特徴とする自動販売機。
【請求項９】
請求項７に記載された自動販売機において、上記自動販売機は、紙幣識別装置を備えたものであり、上記台紙識別装置は、上記紙幣識別装置と兼用される一の装置であることを特徴とする自動販売機。
【発明の詳細な説明】
【０００１】
【発明の属する技術分野】
本発明は自動販売機を用いた商品の販売方法及びこの販売方法のための自動販売機の技術に関するものである。
【０００２】
【従来の技術】
従来から、より多くの商品を販売するため、顧客（消費者）が、購入した商品に貼付されているシールを特定の台紙に貼り付けてゆき、貼り付けた枚数が規定の枚数に達したならば、この台紙を飲料メーカーに郵送することにより、景品その他の懸賞を受けることができる販売方法が知られている。
【０００３】
この販売方法は、顧客が景品を受け取ろうとすると、台紙を飲料メーカーに郵送しなければならず、大変煩わしいものであるため、応募する顧客には限りがあり、商品の販売量の増加に期待するほどの成果が見込まれないという問題があった。
【０００４】
また、郵送してから顧客が景品を受け取るまで相当の日時を要するだけでなく、飲料メーカーの側においても、応募された台紙の整理、景品の発送等の対応しなければならない事務的事項が多いため、人件費、郵送費等の費用がかさむといった問題があった。
【０００５】
【発明が解決しようとする課題】
本発明は、
１  顧客が、シールを規定枚数貼った台紙を郵送する必要をなくす。
【０００６】
２  顧客が、シールを規定枚数貼った台紙を自動販売機の紙幣受入装置に挿入すれば直ちに景品を手に取ることができるようにする。
【０００７】
３  郵送のように、顧客が景品を手に入れるまでの日時がかからなくする。
【０００８】
４  顧客が、身近な最寄りの自動販売機を使えるようにし、郵送より手間がかからなくする。
【０００９】
５  販売促進につなげ、同一の（又は同種の）商品の販売量を増やし、流通経費が少なくてすむようにし、量産の効果が出るようにする。
【００１０】
６  飲料メーカーが、郵送されてきた台紙を整理し、規定枚数のシールが貼られているか否かをチェックする必要をなくす。
【００１１】
７  飲料メーカーが、景品を用意し、それぞれの住所、氏名に宛てて郵送（又は宅配）する等の事務手続きの必要をなくす。
【００１２】
８  発送先の誤り等の事務手続き上の誤りが発生しないようにし、苦情が寄せられないようにする。
【００１３】
９  飲料メーカーには、特別な人件費、郵送費がかからなくする。
などを解決すべき課題とするものである。
【００１４】
【課題を解決するための手段】
この課題は次の手段によって解決される。
【００１５】
（１）販売される商品に、貼付することのできる特定のシールを添付し、この商品を自動販売機を用いて販売するとともに、予め定められた枚数の上記シールが貼付された台紙が自動販売機の台紙識別装置にその台紙挿入口から挿入されたとき、自動販売機に装填されている商品のうちの任意の又は特定の商品を無料又は割引価格にて販売することを特徴とする自動販売機を用いた販売方法。
【００１６】
（２）  上記（１）に記載された自動販売機を用いた販売方法において、上記販売される商品に添付されるシールは、
貼付することにより、商品に添付されたものであり、商品から剥離した後再び貼付可能なものであること
を特徴とする自動販売機を用いた販売方法。
【００１７】
（３）  上記（１）に記載された自動販売機を用いた販売方法において、上記販売される商品に添付されるシールは、
商品の包装の内部に入れられることにより、商品に添付されていること
を特徴とする自動販売機を用いた販売方法。
【００１８】
（４）  上記（１）に記載された自動販売機を用いた販売方法において、上記販売される商品に添付されるシールは、
商品の一部をなす形で、商品に添付されていること
を特徴とする自動販売機を用いた販売方法。
【００１９】
（５）上記（１）から（４）までのいずれかに記載された自動販売機を用いた販売方法において、
上記自動販売機は、紙幣識別装置を備えたものであり、
上記台紙識別装置の台紙挿入口は、上記紙幣識別装置の紙幣挿入口と同一の挿入口であること
を特徴とする自動販売機を用いた販売方法。
【００２０】
（６）  上記（１）から（４）までのいずれかに記載された自動販売機を用いた販売方法において、
上記自動販売機は、紙幣識別装置を備えたものであり、
上記台紙識別装置は、上記紙幣識別装置と兼用される一の装置であること
を特徴とする自動販売機を用いた販売方法。
【００２１】
（７）販売される商品に添付されていた特定のシールが予め定められた枚数貼付された台紙が挿入される台紙識別装置と、上記台紙識別装置が上記台紙を受け入れたとき、自動販売機に装填されている商品のうちの任意の又は特定の商品を投下する商品投下装置とを有することを特徴とする自動販売機。
【００２２】
（８）  上記（７）に記載された自動販売機において、
上記自動販売機は、紙幣識別装置を備えたものであり、
上記台紙識別装置の台紙挿入口は、上記紙幣識別装置の紙幣挿入口と同一の挿入口であること
を特徴とする自動販売機。
【００２３】
（９）  上記（７）に記載された自動販売機において、
上記自動販売機は、紙幣識別装置を備えたものであり、
上記台紙識別装置は、上記紙幣識別装置と兼用される一の装置であること
を特徴とする自動販売機。
【００２４】
【実施例】
図１は、本発明の販売方法を行うため、自動販売機の紙幣識別装置においてなされる動作を説明するフローチャートである。
【００２５】
図２及び図３は、本発明の自動販売機を用いた販売方法を説明するための概要図である。
【００２６】
以下図２及び図３に基づいて、本発明の概要を説明する。
【００２７】
（ａ）  商品のメーカーは商品１（図２、３の場合、メーカーは飲料メーカー、商品は缶飲料）に特定のシール２を添付する。
【００２８】
ここでは、シール２の添付が貼付という形式をとられているが、他の形式をとって添付してもよい。
【００２９】
つまり、商品１が箱、袋等により包装されたものである場合は、その包装の内部に商品と一緒に入れるようにする、または、包装又は商品の一部がシールであってこれを切り取ってシール２とする等である。
【００３０】
シール２は、後に説明するようにシールが貼付された台紙を識別するために、光学的、磁気的又はその他の手法により、それが正規のシールであることを識別可能又は識別容易なものであるほうがよい。
【００３１】
（ｂ）  一方、商品のメーカーは上記シール２を貼付するための台紙３を用意する。台紙３は顧客ができるだけ容易に手に入れられるようにする。
【００３２】
例えば、
自動販売機５の横に置く。
【００３３】
自動販売機５に収納ボックスを設け顧客が自由に持って行くことができるようにする。
【００３４】
自動販売機５で商品が購入されたとき、自動的に台紙３を投下するようにする。
【００３５】
台紙３のすべてが使用されるわけではないので、音声又は表示により、顧客に必要の有無を尋ね、必要とされるときは自動販売機５から商品投下皿７上に台紙３を投下する。
等のやり方が可能である。
【００３６】
台紙３には、シール２を貼付する場所（シール貼付位置４）が指定されている。これは台紙識別装置によって規定の枚数が貼付されていること、貼付のシール２が正規のシールであることを検出し易くするためであるので、この検出ができればどのようであってもよい。
【００３７】
（ｃ）  シール２を添付した商品が自動販売機５に装填され、自動販売の状態にされる。
【００３８】
（ｄ）  顧客が商品１を購入する。この例の場合商品である缶飲料に貼付されたシール２を剥がし、このシール２を台紙３の指定の位置（シール貼付位置）４に貼付する。
【００３９】
（ｅ）  顧客が何度か商品１を購入し、台紙３の指定の位置（シール貼付位置）４にすべてシール２が貼付される。
【００４０】
（ｆ）  顧客は、すべてのシール貼付位置４にシール２が貼付された台紙３を最寄りの自動販売機５に持って行き、自動販売機５の台紙識別装置６に挿入する。
【００４１】
自動販売機５は、台紙識別装置６の台紙挿入口は紙幣識別装置６の台紙挿入口と同一の挿入口であるようにされていても、又は、紙幣識別装置と兼用された一の装置であるようにされていることもできる。
【００４２】
後者の場合、紙幣の識別と台紙の識別とは検査する個所に相違があるとしても、ほとんど同様の識別手法が採用できるので紙幣識別装置の設計をそれほど変更することなく紙幣とともに台紙も識別可能とすることができるというメリットがある。更に、この場合、台紙の大きさは、紙幣識別装置が受け入れ可能なサイズであればよいが、紙幣の最大のものと同じにすると扱いが煩雑でなくなる。
【００４３】
（ｇ）  台紙識別装置又はこれと兼用の紙幣識別装置６が顧客が挿入した台紙３を正規のもの、つまり、正規のシール２が、正規の個所４に、正規の枚数、貼付されたもの、であると判断したときには、自動販売機５中の顧客の選択する任意の商品１、又は、予め定められた特定の商品１を景品として自動販売機５の商品投下皿７に投下する。
【００４４】
上記選択される任意の商品１は、商品の指定されたものの中から選択可能とすることもできる。
【００４５】
また、台紙識別装置又はこれと兼用の紙幣識別装置６が正規のものと判断したときに、商品（景品）を無料とすることなく、割引価格にて提供するようにすることができる。この場合には、自動販売機５がその旨を指示し、つづけて、紙幣識別装置兼台紙識別装置６又は硬貨識別装置８に割引の料金が投入されたことを確認の上、商品（景品）が商品投下皿７上に投下される。
【００４６】
以下、図１に基づいて、台紙識別装置が紙幣識別装置兼台紙識別装置６とされたものを例として自動販売機の動作の概要を説明する。
【００４７】
Ｓ００において、この識別装置６がスタートすると、Ｓ０１において、識別装置６を構成するＩＣ等の初期処理が行われる。
【００４８】
Ｓ０２において、紙葉類が挿入されるのを検出する。Ｓ０３において、紙葉類の検出が認識されるとＳ０４に進む。認識されないと再びＳ０１に還り、同様の動作を繰り返す。
【００４９】
Ｓ０４では、挿入された紙葉類が紙幣つまり銀行券かどうかをチェックし、銀行券であれば（Ｓ０４、ＹＥＳ）、Ｓ０５に進み、従来通り自動販売機で行われている紙幣挿入による販売時の諸処理（銀行券の正規処理）を行う。
【００５０】
Ｓ０４において、ＮＯ、つまり、紙幣でないものが挿入されたときは、Ｓ０６に進み、挿入された紙葉類が台紙３かどうかをチェックする。台紙でないとき（ＮＯ時）は、Ｓ０８に進み、この紙葉類を返却する。また、これが台紙であるとき（ＹＥＳ時）は、Ｓ０７に進み、シール２が正しいかどうか、つまり、台紙３に正規のシール２が正規の枚数貼付されているかどうかをチェックする。
【００５１】
このチェックがＮＯの場合は、Ｓ０８にに進み、この台紙３を返却する。
【００５２】
上記チェックがＹＥＳの場合、Ｓ０９に進み、正規台紙信号、つまり、挿入された台紙３を受け入れ、景品をこれから投下してよい旨を意味する信号、を自動販売機５の主制御装置（不図示）に送り出し、主制御装置は商品（景品）を投下するように商品投下装置（不図示）に指令する。
【００５３】
そして、Ｓ１０において、受け入れた台紙３を金庫部（不図示、顧客が支払いに使用した紙幣を収納する自動販売機内の容器、この場合、台紙は紙幣とともにここに収納される）に収納する。
【００５４】
再びＳ０２に還り、Ｓ０２以降の動作を繰り返す。
【００５５】
【発明の効果】
本発明は以上説明した構成からなるので、次のような効果を奏する。
【００５６】
１  顧客は、シールを規定枚数貼った台紙を郵送する必要がない。
【００５７】
２  顧客は、シールを規定枚数貼った台紙を自動販売機の紙幣受入装置に挿入すれば直ちに景品を手に取ることができる。
【００５８】
３  郵送のように顧客が景品を手に入れるまでの日時がかからない。
【００５９】
４  自動販売機は現在では身近にあり、最寄りの自動販売機を使えばよいので、顧客にとって郵送より手間がかからない。
【００６０】
５  顧客にとっての効果は販売促進につながるので、同一の（又は同種の）商品の販売量が増え、流通経費が少なくてすみ、量産の効果が出る。
【００６１】
６  飲料メーカーにとって、郵送されてきた台紙を整理し、規定枚数のシールが貼られているか否かをチェックする必要がない。
【００６２】
７  飲料メーカーにとって、景品を用意し、それぞれの住所、氏名に宛てて郵送（又は宅配）するための事務手続きの必要がない。
【００６３】
８  このような事務手続きが必要なく、発送先の誤り等が発生しないので苦情がこない。
【００６４】
９  したがって、飲料メーカーには、特別な人件費、郵送費がかからない。
【００６５】
１０  台紙に顧客名やアンケート項目を記載して、この自動販売機で応募してもらえば、台紙（アンケート）の回収も容易になり、そのために特別な労力をはらうことなく顧客管理のデータを得ることができる。
【図面の簡単な説明】
【図１】本発明の販売方法を行うため、自動販売機の紙幣識別装置においてなされる動作を説明するフローチャートである。
【図２】図３とともに、本発明の自動販売機を用いた販売方法を説明するための概要図である。
【図３】図２とともに、本発明の自動販売機を用いた販売方法を説明するための概要図である。
【符号の説明】
１  商品
２  シール
３  台紙
４  シール貼付位置
５  自動販売機
６  紙幣識別装置兼台紙識別装置
７  商品投下皿
８  硬貨識別装置
【図１】
0003687382.tif 000002
【図２】
0003687382.tif 000003
【図３】
0003687382.tif 000004